(57)【要約】【課題】  本発明の目的は、左右のグリップ部の間隔や位置を変更できるようにして作業性、操作性の向上を図った刈払機を提供する。【解決手段】  エンジンの出力を伝達して先端に工具が取り付けられるシャフト７と、シャフト７の中間位置に設けられるハンドルを有する刈払機であって、右側ハンドルパイプ２Ａと、左側ハンドルパイプ２Ｂを独立して形成し、これらを挟持する２組の受座溝３Ａと４Ａ、３Ｂと４Ｂを有するハンドル保持手段（３、４、５）によってシャフト７に固定する。受座溝３Ａ、３Ａ、４Ａ、４Ｂはシャフト７の直交方向に軸線を有するように形成され、グリップ部１Ａ、１Ｂは矢印１５、１６の方向に調整可能である。さらに、右側ハンドルパイプ２Ａと左側ハンドルパイプ２Ｂはシャフト７に対して直交方向にスライドできる。【選択図】図１
2013146200.tif 000002
【特許請求の範囲】
【請求項１】
駆動源と、
前記駆動源の出力を伝達して先端に工具が取り付けられるシャフトと、
前記シャフトの中間位置に設けられるハンドルを有する刈払機であって、
右側ハンドルパイプと、左側ハンドルパイプを独立して形成し、
前記右側ハンドルパイプと、左側ハンドルパイプを前記シャフトに対して交差する方向にスライドできるように構成したことを特徴とする刈払機。
【請求項２】
前記右側ハンドルパイプと左側ハンドルパイプを保持する２組の受座溝を有するハンドル保持手段によって前記シャフトに固定することを特徴とする請求項１に記載の刈払機。
【請求項３】
ハンドル保持手段は、２組の受座溝を有する上側保持部材と２組の受座溝を有する下側保持部材と、下側保持部材を前記シャフトに固定するためのハンドル保持具を含んで構成され、
前記上側保持部材と下側保持部材は複数のボルトにて固定されることを特徴とする請求項２に記載の刈払機。
【発明の詳細な説明】
【技術分野】
【０００１】
本発明は、刈払機のハンドル構造に関するものである。
【背景技術】
【０００２】
草や小径木を刈り払うための機械として小型のエンジンにて駆動される刈払機が広く用いられる。刈払機は、シリンダー内に供給された燃料と空気の混合気体に点火し、その燃焼圧力によりピストンを駆動し、ピストンへ連結されたコンロッドを介しクランク軸を回転させる。クランク軸の回転力が先端工具に伝達され、被削物へ切削等の作業を行う。図５は従来の刈払機の全体構成を示す斜視図である。
【０００３】
刈払機は、パイプ状のシャフト７（伝達軸）に後述する駆動軸を通し、駆動軸をシャフト７の一端側に設けたエンジン１０にて回転させることで、シャフト７の他端に設けたギヤケース１１に取り付けた刈刃等の先端工具１２を回転させる。先端工具１２の近傍には、刈り払った草の飛散防止のための飛散防御カバー１３が設けられる。刈払機は図示しない肩掛け用吊りベルト等で携帯されるもので、シャフト７の長手中央部付近に作業者が操作するための正面視略Ｕ字状を呈するハンドルパイプ２２が取り付けられる。ハンドルパイプ２２はシャフト７に直交するように取り付けられ、その両端部にはグリップ部２１Ａ、２１Ｂが設けられ、作業者は左右の手にてグリップ部２１Ａ、２１Ｂを把持して操作をする。エンジンの回転数は、ハンドルパイプ２２に取り付けられたスロットルレバー９により作業者により制御される。スロットルレバーの操作は、図示しないワイヤーにてエンジン１０の気化器に伝達される。
【０００４】
図３は従来の刈払機のハンドル構造を示す部分側面図であり、図４はその部分上面図である。グリップ部２１Ａ、２１Ｂはハンドルパイプ２２から上方に延びるように先端部に取り付けられる。図３の側面図において、ハンドルパイプ２２は、第３ハンドル保持具２５と第２ハンドル保持具２９とでシャフト７を挟持しネジ又はボルトにて固定する。第２ハンドル保持具２９にはハンドルパイプ２２を通す受座溝２９Ａが形成されており、受座溝２９Ａに一体化されたハンドルパイプ２２を配設し、第１ハンドル保持具２８にてハンドルパイプ２２を固定する。このようにして位置決めされた左右のグリップ部２１Ａ、２１Ｂ間の幅は、図４から見ると理解できるようにハンドルパイプ２２の形状によって決定される。そのため作業者の体格、肩幅等に合わせグリップ部２１Ａ、２１Ｂ間の幅を変更できないため、ハンドル間の幅より肩幅が狭い作業者は、脇を大きくあけながらハンドルを操作しなければならなかった。
【０００５】
これらの状況を改善するために特許文献１では、左右のハンドルを放射状の凹凸面を噛合させる取付座板を介して左右のハンドルを固定する技術が開示されている。また、特許文献２では、左右一体式に構成されたハンドルパイプを、取り付け座面にて回動可能に取り付ける構造が開示されている。
【先行技術文献】
【特許文献】
【０００６】
【特許文献１】実開昭５９−１０７８１６号公報
【特許文献２】実開昭６３−１２９４２４号公報
【発明の概要】
【発明が解決しようとする課題】
【０００７】
特許文献１の技術では、この構造ではハンドル間の幅を変更できるが、ハンドルを水平面にて取付座板を中心に回転させてハンドル間の幅を少なくするような構造となり、ハンドル保持具があるシャフト方向の位置に対しハンドルが、前後するので作業者の位置が変わることになり作業時のバランスが悪くなる。特許文献２の技術では、一体化ハンドルをシャフト直交方向に回転又はスライドはできるが、左右のグリップ間の幅を変更することはできない。このように従来技術の刈払機のハンドル構造では、グリップ部間の幅を細かく調整することができなかったが、近年作業時の快適性を向上させるためにグリップの位置を細かく調整したいという要望が出てきた。
【０００８】
本発明は上記背景に鑑みてなされたもので、その目的は、作業性、操作性の良い刈払機のハンドル構造を提供することにある。
【０００９】
本発明の別の目的は、ハンドル部を細かく調整可能な構成として、左右のグリップ部の間隔や位置を変更できるようにした刈払機を提供することにある。
【課題を解決するための手段】
【００１０】
本発明の一つの特徴によれば、エンジンと、エンジンの出力を伝達して先端に工具が取り付けられるシャフトと、シャフトの中間位置に設けられるハンドルを有する刈払機であって、右側ハンドルパイプと、左側ハンドルパイプを独立して形成し、右側ハンドルパイプと左側ハンドルパイプを挟持する２組の受座溝を有するハンドル保持手段によってシャフトに固定する。即ち、ハンドル保持具のハンドルパイプ受座溝を２箇所にした。受座溝はシャフト直交方向に軸線を有するように形成され、右側ハンドルパイプと、左側ハンドルパイプをシャフトに対して直交方向にスライドできるように構成した。ハンドル保持手段は、２組の受座溝を有する上側保持部材と２組の受座溝を有する下側保持部材と、下側保持部材をシャフトに固定するためのハンドル保持具を含んで構成され、上側保持部材と下側保持部材は複数のボルトにて固定される。
【発明の効果】
【００１１】
本発明によれば、ハンドル保持具のハンドルパイプ受座溝を２箇所にすることにより、作業性、操作性の良い刈払機を提供できる。
【図面の簡単な説明】
【００１２】
【図１】本発明の刈払機のハンドル構造の部分側面図である。
【図２】本発明の刈払機のハンドル構造の部分上面図である。
【図３】従来の刈払機のハンドル構造を示す部分側面図である。
【図４】従来の刈払機のハンドル構造を示す部分上面図である。
【図５】従来の刈払機の全体斜視図である。
【発明を実施するための形態】
【実施例１】
【００１３】
以下、本発明の実施例を図１及び図２に基づいて説明する。なお、以下の図において、従来の刈払機と同一の部分には同一の符号を付し、繰り返しの説明は省略する。
【００１４】
図１は本発明の刈払機のハンドル構造の部分側面図である。本実施例においては、右側ハンドルパイプ２Ａと左側ハンドルパイプ２Ｂは従来例のように連結された形状で製造されるのではなく、左右のハンドルパイプが別々に形成されることに特徴がある。右側ハンドルパイプ２Ａと左側ハンドルパイプ２Ｂは、共に第１ハンドル保持具３と第２ハンドル保持具４によって挟持される。第１ハンドル保持具３はハンドルパイプの上側を保持する上側保持部材となるもので、右側ハンドルパイプ２Ａと左側ハンドルパイプ２Ｂを固定するための受座溝３Ａ、３Ｂが形成される。同様にして、第２ハンドル保持具４はハンドルパイプの下側を保持する下側保持部材となるもので、右側ハンドルパイプ２Ａと左側ハンドルパイプ２Ｂを固定するための受座溝４Ａ、４Ｂが形成される。受座溝３Ａ、３Ｂは図１のような側面視で下側に開口する半球状の形状であり、受座溝４Ａ、４Ｂは上側に開口する半球状の形状である。これらの受座溝の内面（ハンドルパイプと接する面）には、滑り止めのための軸方向に連続する滑り止め、回り止め用の溝や凹凸部を形成しても良い。第２ハンドル保持具４の下側にはシャフト７を挟持するための受座溝が形成され、その受座溝と対応して作用する第３ハンドル保持具５が下側から設けられる。第２ハンドル保持具４と第３ハンドル保持具５の固定方法は任意であり、公知の方法を用いて固定すれば良い。本実施例では、第２ハンドル保持具４は第３ハンドル保持具５と締め付けられることにより、シャフト７の任意の前後位置にて固定する。
【００１５】
第１ハンドル保持具３は第２ハンドル保持具４に対して複数のボルト６によって固定されるものであって、この際に受座溝３Ａと４Ａの間に右側ハンドルパイプ２Ａが挟持され、受座溝３Ｂと４Ｂの間に左側ハンドルパイプ２Ｂが挟持される。このように本実施例においては、右側ハンドルパイプ２Ａと左側ハンドルパイプ２Ｂを通す受座溝が第１ハンドル保持具３と第２ハンドル保持具４のそれぞれ２箇所に形成されているため、ボルト６を固定する際に右側ハンドルパイプ２Ａを矢印１５の方向に回動させて調整し、左側ハンドルパイプ２Ｂを矢印１６の方向に回動させて調整できる。このように右側ハンドルパイプ２Ａと左側ハンドルパイプ２Ｂを最適な位置にしてボルト６の締め付けを行うが、本実施例ではボルト６の締め付けの前に図２で示すように左右方向の調整も可能である。
【００１６】
図２は、本発明の刈払機のハンドル構造の部分上面図である。図から理解できるように右側ハンドルパイプ２Ａには、第１ハンドル保持具３よりも左側にまで延び、端部には第１ハンドル保持具３から抜け落ちないようにフランジ部１３Ａが形成される。同様にして、左側ハンドルパイプ２Ｂには、第１ハンドル保持具３よりも左側にまで延び、端部には第１ハンドル保持具３から抜け落ちないようにフランジ部１３Ｂが形成される。複数のボルト６を締め付ける前に、右側ハンドルパイプ２Ａと左側ハンドルパイプ２Ｂを矢印１７、１８の方向に移動させることによりグリップ部間の幅Ａを作業者の体格、肩幅、作業用途に合わせ調整することができる。
【００１７】
図１の矢印１５、１６方向の調整と矢印１７、１８方向の調整を行った後には、６本のボルト６を締め付けることによって右側ハンドルパイプ２Ａと左側ハンドルパイプ２Ｂをシャフト７に対して固定することができる。このように右側ハンドルパイプ２Ａと左側ハンドルパイプ２Ｂの固定状態を多彩に変更することができるので、作業者の体格に合わせて又は作業場所に合わせて最適に調整することができる。例えば、左右に壁が建っている狭い場所で刈払作業をしたい時は、ハンドル幅Ａを最小に調整して作業を行うというような使い方も可能である。
【００１８】
上述のように本発明の刈払機のハンドル構造により作業時の疲労を減少させ、作業性、操作性の良い刈払機を提供出来る。特に、シャフト７の直交方向へ右側ハンドルパイプ２Ａと左側ハンドルパイプ２Ｂをスライドさせることによってグリップ部間の幅Ａを調整できるので、作業者の立ち位置は変更とならないので、作業性、操作性に悪影響を与えることなくグリップ部を最適な位置に変更することができる。さらに、本実施例ではグリップ部間の幅Ａを変更してもグリップ部の取り付け角度は変わらないため、操作性を悪化させない。本実施例では、右側ハンドルパイプ２Ａと左側ハンドルパイプ２Ｂを２か所の保持具により固定する構造としたため、調整の範囲を大きくとることができると共に、左右のハンドルパイプのパイプ径が同じであってもスライドして調整することができるため、安価に製造することが可能となる。
【００１９】
以上、本発明を実施例に基づいて説明したが、本発明は上述の実施例に限定されものではなく、その趣旨を逸脱しない範囲で種々の変更が可能である。例えば上述の実施例では駆動源としてエンジンが用いられているが、駆動源として電動モータを用いるようにしても良い。また、左右グリップはシャフト７に対して直交方向に移動して調整を行えるよう構成しているが、移動方向については若干角度を有していても良い。また、ハンドル保持手段が２組の受座溝３Ａと４Ａ、３Ｂと４Ｂを有する構成としたが、受座溝を１組とし、取付部の径が異なる左右のハンドルパイプの一方に他方を挿入することで入れ子式に構成し、左右のグリップ部の間隔を変更できるようにしても良い。
【符号の説明】
【００２０】
１Ａ、１Ｂ  グリップ部                  ２  刈刃
２Ａ  右側ハンドルパイプ                ２Ｂ  左側ハンドルパイプ
３  第１ハンドル保持具                  ３Ａ、３Ｂ  受座溝
４  第２ハンドル保持具                  ４Ａ、４Ｂ  受座溝
５  第３ハンドル保持具                  ６  ボルト
７  シャフト                            ９  スロットルレバー
１０  エンジン                          １１  ギヤケース
１２  先端工具                          １３  飛散防御カバー
１３Ａ  フランジ部                      １３Ｂ  フランジ部
２１Ａ、２１Ｂ  グリップ部              ２２  ハンドルパイプ
２５  第３ハンドル保持具                ２８  第１ハンドル保持具
２９  第２ハンドル保持具                ２８Ａ、２９Ａ  受座溝
【図１】
2013146200.tif 000003
【図２】
2013146200.tif 000004
【図３】
2013146200.tif 000005
【図４】
2013146200.tif 000006
【図５】
2013146200.tif 000007